(57)【要約】【課題】消しゴムを覆っている消しゴムケースを切り取ったり折り曲げることなく、消しゴムをケースから容易に露出させることができ、使用するのに便利で、形状が簡単な消しゴムケースを提供する。【解決手段】消しゴム２の周囲を覆う消しゴムケース１に、ジャバラ部３もしくは伸縮可能にしたジャバラ部３を設けたことを特徴とする消しゴムケース１。【選択図】図１
2006231886.tif 000002
【特許請求の範囲】
【請求項１】
消しゴム（２）の周囲を覆う消しゴムケース（１）において、消しゴムケース（１）にジャバラ部（３）を設けたことを特徴とする消しゴムケース（１）。
【請求項２】
前記ジャバラ部（３）が伸縮可能に設けられ、前記ケース（１）を伸縮できるようにしたことを特徴とする請求項１記載の消しゴムケース（１）。
【発明の詳細な説明】
【技術分野】
【０００１】  本発明は、消しゴムの周囲を覆う消しゴムケースに関するものである。
【背景技術】
【０００２】  従来、消しゴムの汚れを防ぎ、消しゴムが使用中に折れたり欠けたりするのを防止し、さらに、消しゴムが他のものとくっつかなくするために、使用する露出部分以外は消しゴムケースで覆っていた。そして、消しゴムの露出部分が使用により磨り減り短くなったとき、ケースの端を切り取るか、消しゴムをケースより押し出し空洞となった部分を折り曲げて使用していた。しかし、切り取る方法では鋏やカッター等の道具が必要であり、指でちぎったときにはきれいに切り取ることが難しく、内側に折り曲げる場合でも短くしか折ることができないという問題点があった。これを解決するために、ケースに消しゴムの繰り出し機構を設けたりした。また、ケースに切り取り手段を設けた多数の技術も提案されている。例えば、ケースに間隔を置いて消しゴム本体の横断面と平行に刻み線を設けた提案（特許文献１参照）。紙巻き消しゴムの提案（特許文献２参照）。さらに、ケース内にヒモを封入し、ヒモを引っぱることによりケースを引き裂く提案（特許文献３参照）が知られている。
【特許文献１】実登３０４８７６５号公報
【特許文献２】実開昭６２−００９５９４号公報
【特許文献３】実開昭５９−１３１８９６号公報
【発明の開示】
【発明が解決しようとする課題】
【０００３】  しかし、ケースを切り取る方法は、消しゴムが消耗して小さくなるとともにケース自体も小さくなり、手で持つことが難しく、また紛失し易い。【０００４】  さらに、繰り出し式消しゴムは、消しゴムケースの使用目的を達成し、細部を消去するのに優れてはいるが、構造が複雑化し、消去する部分が多い場合、手が疲れる。【０００５】  そこで、本発明は、消しゴムが使用により消耗しても、消しゴムを覆っているケースを切り取ったり折り曲げることなく、消しゴムをケースから容易に露出させることができ、使用するのに便利で、形状が簡単な消しゴムケースを提供することを課題とする。
【課題を解決するための手段】
【０００６】  前記課題を達成するために本発明は、次の具体的手段を採っている。即ち、本発明に係る消しゴムケースは、消しゴムの周囲を覆う消しゴムケースに、ジャバラ部もしくは伸縮可能なジャバラ部を設けたことを特徴とする。
【発明の効果】
【０００７】  本発明は、前記のように構成したことにより、効果は次の通りである。【０００８】  消しゴムケースを切り取ったり、折り曲げたりする必要がなく、消しゴムが消耗し、無くなるまで、ケースは使用当初の状態を保つことができる。【０００９】  したがって、消しゴムを手垢による汚れから防ぎ、消しゴムが使用中に折れたり欠けたりするのを防止し、他のものとくっつかなくるすために設けた消しゴムケース本来の目的を、充分達成することができる。【００１０】  また、消しゴムケースを切り取るための鋏やカッター等の道具も必要とせず、ゴミも出ない。【００１１】  さらに、消しゴムが使用に伴って小さくなっても、ケースは短くならず、手で保持するのに支障が出ない。【００１２】  そして、ジャバラ部を設けたことによって、ジャバラが目盛の役割をなし、消しゴムの適切な露出量を調節できる。【００１３】  加えて、ジャバラ部の凹凸が消しゴムと指の両方にひっかかり、滑り止めの働きをするので、消しゴムを使用するとき、押す力が少なくてすむ。
【発明を実施するための最良の形態】
【００１４】  別紙図面の図１〜図３を参照して、本発明に係る実施の形態について説明する。【００１５】  以下に本発明の第１実施形態について述べる。【００１６】  図１は、本発明のジャバラ部３を設けた消しゴムケース１を示す斜視図である。また、図２は、図１のＸ−Ｘ線断面図である。この消しゴム２を覆っている消しゴムケース１には、ジャバラ部３が設けられている。【００１７】  なお、ジャバラ部３を消しゴムケース１のどの部分に設けるか、いくつ設けるか、ジャバラ部３の溝の開きを一定にするのか不定にするのかは、それぞれ限定されない。【００１８】  そして、消しゴムケース１の形状は、直方体、円柱、円錐、多角形、多角錐など消しゴム２の形状に合わせて作られるが、消しゴム２の形状とは違う形状でもよい。また、成形されたプラスチックで作られることが好ましいが、その他の材質で種々加工をされてもよい。【００１９】  さらに、消しゴム２の一部が、消しゴムケース１より最初から露出していてもよいし、後から露出するように作られてもよい。また、消しゴムケース１は、両端とも開口しているものでも、一方が塞がれているものでもよい。【００２０】  次に本発明の第２実施形態について述べる。【００２１】  この消しゴム２を覆っている消しゴムケース１には、消しゴム２の露出部分の消耗に応じて、消しゴムケース１を伸縮させることができる伸縮可能なジャバラ部３が設けられている。【００２２】  伸縮可能なジャバラ部３を設けたことにより、消しゴムケース１の大きさを容易に変えることができ、消しゴム２をケース１から簡単に露出させることができる。【００２３】  なお、本発明の一変形例として、消しゴムケース１の内外に凹凸を設け、滑り止めとすることも可能である。【００２４】  その他、本発明の効果を損ねない範囲で変形してもよい。【００２５】  以下に本発明の第１実施形態の一使用例について述べる。【００２６】  図３は、使用方法を示す斜視図である。消しゴム２を適切な量だけ消しゴムケース１から押し出しもしくは引っ張り出し、使用する。【００２７】  この消しゴムケース１には、ジャバラ部３が設けられているので、ジャバラ部３の凹凸が消しゴム２およびケース１を保持する指にたいして滑り止めとして作用し、使用中に、消しゴム２がケース１の中に引っ込む事がない。【００２８】  なお、ケース１の空洞となった部分を指で保持しても、ジャバラ部３には充分な強度があり、ケース１を押し潰すことはない。【００２９】  次に本発明の第２実施形態の一使用例について述べる。【００３０】  消しゴムケース１のジャバラ部３を縮めて、消しゴム２を適切な量だけ消しゴムケース１から露出させ、使用する。消しゴム２の消耗に伴なって、露出部分が短くなったとき、再び消しゴムケース１のジャバラ部３を縮めて、消しゴムケース１から消しゴム２の新しい露出部分を得る。【００３１】  なお、ジャバラ部３のどこの部分を縮めて使用するかは、限定されない。消しゴムケース１から消しゴム２が露出している側を縮めるのか、反対側を縮めるのか、それとも中央かはいずれでもよい。【００３２】  そして、ジャバラ部３が全て縮んだ状態になったとき、消しゴム２が露出していない端部を引っぱり、ジャバラ部���を伸ばし、消しゴム２を使用する。さらに、露出部分が短くなれば、再びジャバラ部３を縮めて、消しゴム２の新たな部分を消しゴムケース１より露出する。以上のように、これらの動作を消しゴム２が無くなるまで繰り返し行う。【００３３】  また、別の使用方法として、消しゴム２の新しい露出部分を得るために、その都度、消しゴムケース１のジャバラ部３を伸ばしたり、縮めたりしながら使用してもよい。
【図面の簡単な説明】
【００３４】
【図１】本発明のジャバラ部を設けた消しゴムケースを示す斜視図である。
【図２】図１のＸ−Ｘ線断面図である。
【図３】本発明の使用方法を示す斜視図である。
【符号の説明】
【００３５】１  消しゴムケース
２  消しゴム
３  ジャバラ部
【図１】
2006231886.tif 000003
【図２】
2006231886.tif 000004
【図３】
2006231886.tif 000005